(57)【要約】【課題】本発明はモバイルネットワークの４Ｇアクセスポイント（４ＧＡＰ）型通信方式に関し，ＩＭＳを含むコアネットワーク側のマルチメディアトラフィックを含むトラフィックの増大を抑制することができることを主な目的とする。【解決手段】ユーザ端末との通信手段とサーバ及びＩＰによる外部ＩＰネットワークとの通信手段を備えた４ＧＡＰを設け，外部ＩＰネットワークはＩＭＳコアネットワークとアプリケーションサーバとで構成される。４ＧＡＰのサーバは，ユーザ端末から要求されたプログラム及び認証と課金測定を含む共用プログラムを実行するエリアとセッション管理部とを備え，外部ＩＰネットワークはユーザ端末からプログラムを指定した実行要求を受けとると，４ＧＡＰに対して指定されたプログラムの確認を送信し，プログラムが無いという応答を受けると，プログラムを転送し，ユーザ端末は４ＧＡＰにおいて実行するよう構成する。【選択図】図２
2007243773.tif 000002
【特許請求の範囲】
【請求項１】
多数のユーザ端末と無線により通信を行う手段と，サーバと，インターネットプロトコル（ＩＰ）により外部ＩＰネットワーク通信を行う手段を備えた４Ｇアクセスポイントを設け，
前記外部ＩＰネットワークはＩＰマルチメディアシステム（ＩＭＳ）を含むＩＭＳコアネットワーク及び該ＩＭＳコアネットワークに接続された各種アプリケーションやデータベースを含む複数のアプリケーションサーバとで構成され，
前記４Ｇアクセスポイントのサーバは，前記ユーザ端末から要求されたプログラム及び認証と課金測定を含む共用プログラムを実行するエリアとセッション管理部とを備え，
前記外部ＩＰネットワークは前記ユーザ端末からプログラムを指定した実行要求を受けとると，前記４Ｇアクセスポイントに対して前記指定されたプログラムの確認を送信し，前記４Ｇアクセスポイントから前記プログラムが無いことを表す応答を受けると，前記４Ｇアクセスポイントにセッションを移行すると共に前記指定されたプログラムを転送し，前記ユーザ端末に対してアクセス先を前記４Ｇアクセスポイントへ変更する指示を送信し，
前記ユーザ端末は前記プログラムを前記４Ｇアクセスポイントにおいて実行することを特徴とする４Ｇアクセスポイント型通信方式。
【請求項２】
請求項１において，
前記外部ＩＰネットワークは，前記４Ｇアクセスポイントへの前記指定されたプログラムの確認の送信に対して，前記４Ｇアクセスポイントから前記プログラムが有ることを表す応答を受けると，セッションを前記４Ｇアクセスポイントへ移行すると共に前記ユーザ端末に対してアクセス先を前記４Ｇアクセスポイントへ変更する指示を送信し，
前記ユーザ端末は前記プログラムを前記４Ｇアクセスポイントにおいて実行することを特徴とする４Ｇアクセスポイント型通信方式。
【請求項３】
請求項１または２のいずれかにおいて，
前記４Ｇアクセスポイントに備えたプログラム実行エリアに認証プログラムを備え，
前記外部ＩＰネットワークが前記４Ｇアクセスポイントへセッションを移行する時に，前記ユーザ端末の情報を送信すると，前記認証プログラムにより当該ユーザ端末について認証を行い，認証が成功すると前記ユーザ端末に対して前記指定されたプログラムへの前記４Ｇアクセスポイントにおけるパス情報を送信することを特徴とする４Ｇアクセスポイント型通信方式。
【請求項４】
請求項３において，
前記４Ｇアクセスポイントのサーバに設けたプログラム実行エリアに課金測定プログラムを備え，
前記認証プログラムは認証が成功すると前記課金測定プログラムにユーザ端末情報を通知し，
前記課金測定プログラムは前記通知を受け取ると課金測定を開始して，リソース使用量，ネットワーク使用量を収集して，前記ユーザ端末からのアクセス終了要求を受け取ると，課金測定を終了することを特徴とする４Ｇアクセスポイント型通信方式。
【発明の詳細な説明】
【技術分野】
【０００１】
本発明は移動通信網（モバイルネットワーク）の４Ｇ（第４世代）アクセスポイント型通信方式に関する。
【背景技術】
【０００２】
モバイルネットワークについて４Ｇ（３．５Ｇ，３．９Ｇまたはスーパー３Ｇ等と呼ばれる場合もある）化が進むと同時にネットワークアーキテクチャのオールＩＰ（Internet Protocol)化が進展している。このような次世代ネットワークへの要求条件として，トラフィック変動に対する柔軟性やスケーラビリティの確保や，新サービス導入が容易（早期導入，低コスト）なこと，より高速・広帯域な無線アクセスであることが求められている。
【０００３】
また，ネットワークインフラも４Ｇ化が進み，ＩＭＳ（IP Multimedia Subsystem)を基軸としたオールＩＰベースのコアネットワーク（ＣＮ:Core Network)開発が主流となっている。その中で，情報のマルチメディア化が進み，試算によると近い将来，マルチメディア情報の市場規模（トラフィック）が増大し，音声：マルチメディア比も５年後には５０：５０から３０：７０になると言われており，ＩＭＳ（IP Multimedia Subsystem)を中心としたコアネットワーク（ＣＮ）内部のトラフィックの増大及び伝送遅延の増大が懸念されている。なお，ＩＭＳは，ＳＩＰ（Session Initiation Protocol)サーバをベースとして構築されるセッション・課金・サービス制御システム（ＩＰベース）であり，ＩＴＵ−Ｔ（International Telecommunication Union−Ｔ：電気通信標準化セクタ）により規定されたＩＭＴ−２０００に対応する標準化組織である３ＧＰＰ（３rd Generation Partnership Projects) で仕様化（３ＧＰＰ Release５：2003年）され，現在も機能拡張が行われている。ＩＭＳ単独では加入者を収容できず，必要データを転送するだけのパケット網・無線アクセス網を含むコアネットワークに対しセッション制御やアプリケーション制御機能を提供する。
【０００４】
この３ＧＰＰの仕様では，携帯端末のユーザ装置（ＵＥ：User Equipment) が無線基地局や無線網制御装置等で構成する無線アクセスネットワークと接続され，この無線アクセスネットワークから回線交換機能やパケット機能を備えたコアネットワークに接続される構成を備え，ユーザ装置は，無線ネットワーク，コアネットワークを介してマルチメディアのＩＰ網と接続されてサービスを受けることができる。
【０００５】
これに対し，上記３ＧＰＰ Release５では，コアネットワークにＩＭＳを設けて対応するもので伝送機能をすべてＩＰ転送するという考え方に基づいているが，回線交換やパケット機能が分離され，パケットがＧＰＲＳ（General Packet Radio Services)をベースとしている点でＩＰ化されてなく，オールＩＰ化によりマルチメディアの画像や音声といったデータを多量に使うサービスを提供するにはトラフィックの増大と，伝送遅延の増大という問題がある。
【０００６】
従来の技術として，ユーザ端末（ＵＥ）と時分割複信（ＴＤＤ）符号分割多重接続（ＣＤＭＡ）無線通信を行う基地局を設け，複数の基地局からなる基地局グループのコントローラを設け，このコントローラから公衆インターネットと接続するための無線アクセス網インターネットプロトコル（ＲＡＮ  ＩＰ）ゲートウェイを備えた無線ＬＡＮの技術が知られている（特許文献１参照）。その無線ＬＡＮは，インターネットとのＧＰＲＳ接続を有し，認証(Authentication)，認可(Authorization) 及び課金(Accounting)の機能（ＡＡＡ機能と略称される）は関連するコアネットワークがサポートする。このため，基本的な機能はコアネットワーク側で処理する構成となっている。
【０００７】
また，移動通信サービス制御の技術として，本来のコアネットワークの外部にサービスプロバイダを置き，ＡＡＡ機能，セキュリティ，その他の機能を代行させる技術が存在する（特許文献２参照）。
【特許文献１】特表２００５−５２０４４９号公報
【特許文献２】国際公開番号ＷＯ  ０２／０９１６８６  Ａ１
【発明の開示】
【発明が解決しようとする課題】
【０００８】
上記したように，３ＧＰＰ Release５では，コアネットワークにＩＭＳを設けて対応するが，パケットがＧＰＲＳをベースとしている点でＩＰ化されてなく，オールＩＰ化によりマルチメディアの画像や音声といったデータを多量に使うサービスを提供するにはトラフィックの増大と，伝送遅延の増大という問題がある。
【０００９】
また，上記の特許文献１の技術では，コアネットワーク側にインターネットとのＧＰＲＳ接続を有し，ＡＡＡ機能を備えるものであり，マルチメディアの高速かつ大量のデータをコアネットワーク側（ＩＭＳを含む）で全て処理する必要があり，ネットワーク側の負荷が極めて大きくなり，多くのユーザ装置（ＵＥ）からのアクセスに対処するにはかなりの設備を設けなければならないという問題があった。また，特許文献２の技術はコアネットワークの外部にサービスプロバイダを設け，そこでＡＡＡ機能，セキュリティ，その他の機能を代行させるもので，外部のサービスプロバイダに多大な負荷がかかるという問題がある。
【００１０】
本発明は上記の問題を解決すると共に，以下のような課題を解決することを目的とする。
【００１１】
ＩＭＳを含むコアネットワーク（ＩＭＳ／ＣＮで表す）側のマルチメディアトラフィックを含むトラフィックの増大を抑制することができる移動通信網（モバイルネットワーク）の４Ｇアクセスポイント型通信方式を提供することを主な目的とする。
【００１２】
また，本発明は，ユーザ端末（ＵＥ）からのＩＰ伝送遅延を抑制し，ネットワークレスポンスの向上と高速化を実現することも目的とし，更にユーザ端末（ＵＥ）のシステムリソースを使用しない（ユーザ端末にリソースを設けない）サービスを提供することも他の目的とし，更に，セキュリティ，課金等の管理面の仕組みを提供することも更に他の目的とし，更にネットワークのＱｏＳ（Quality of Service) 制御を簡略化することや，ネットワーク全体としての信頼性を向上することや，インタラクティブ／ノンインタラクティブなＭＢＭＳ（Multimedia Broadcast & Multicast Service) を提供することも他の付加的な目的とする。
【課題を解決するための手段】
【００１３】
図１は本発明によるシステムの概要図である。図中，１は無線により通信を行うユーザ端末（ＵＥ），２は本発明による第４世代モバイルネットワークのアクセスポイント（４Ｇアクセスポイントで表示）であり，ユーザ端末１と無線により通信を行い，後述するＩＭＳ／コアネットワーク３及び各種の外部サーバ４とＩＰ(Internet Protocol) による通信を行い，ユーザ端末１との通信を終端する。４Ｇアクセスポイント２には，後述するようにユーザ端末（ＵＥ）１から要求されたユーザ専用のプログラムを外部ＩＰネットワーク（インターネット等のネットワーク）から取り出して実行するためのユーザ専用汎用プログラム実行エリアや，認証や課金及び複数ユーザが共用するプログラムを実行するための共用汎用プログラム実行エリアを備えると共にユーザ端末（ＵＥ）とのセッションを管理するセッション管理部を含むサーバを備えることを特徴とする。３は携帯キャリアの設備であり，課金管理，回線交換等を行うと共に，ＩＰにより４Ｇアクセスポイント２及び外部サーバ４と通信を行うＩＭＳ（IP Multimedia Subsystem)を含むＩＭＳ／コアネットワークであり，各種サーバを内蔵する。４はＩＭＳ／コアネットワーク３とインターネットを介してＩＰにより接続され，４Ｇアクセスポイント２またはユーザ端末１に対して各種の情報サービス（アプリケーションやデータベースを提供）を行う外部サーバである。ＩＭＳ／コアネットワーク３と外部サーバ４を合わせて外部ＩＰネットワークという。
【００１４】
４Ｇアクセスポイント２の配置はフレキシブルであり，一定のエリア毎に固定位置に設けたり，車両名の移動体の中や，会社の部署単位，建物の階単位等で設置してもよい。
【００１５】
図２は本発明のシステムの基本構成を示す図である。図中，１，２，３，４は上記図１の同一符号と同じであり，１は携帯電話機等のユーザ端末（ＵＥで表示），１０は送信すべきデータを電波に変換（変調）し，電波を受信してデータに変換（復調）するエア伝送部，１１は機能部同士が通信できるようにデータ形式（プロトコル）の変換，再送制御等を行う信号処理部，１２はユーザに情報を表示させるための画面入出力プログラム（インターネットブラウザ等）処理部，１３は画面表示に対応した操作を行うための画面操作部である。２は４Ｇアクセスポイントであり，４Ｇアクセスポイント２の内部の２０はユーザ端末（ＵＥ）１と電波にて送受信するための変調，復調を行うエア伝送部である。
【００１６】
２１は４Ｇアクセスポイント２に備えたサーバ，２１０はユーザ端末が使用する４Ｇアクセスポイント２のプログラムと外部ＩＰネットワーク（３，４）とのセッションを管理するセッション管理部，２１１は複数ユーザの共用プログラム（例えば，グループのスケジュール管理プログラム）を実行するためのエリア（メモリ領域及び実行機構を含む）である共用汎用プログラム実行エリア，２１２は個別のユーザ専用のアプリケーションプログラム（例えば，ゲームソフト）を実行するためのエリアであるユーザ専用汎用プログラム実行エリアである。２１ａは機能部同士が通信できるようにデータ形式の変換，再送制御等を行う信号処理部，２２は信号処理されたデータをネットワークを経由してＩＭＳ／コアネットワーク３に送信し，逆にＩＭＳ／コアネットワーク３からのデータを受信するＩＰ伝送部である。
【００１７】
３，４は４Ｇアクセスポイント２からＩＰにより接続される外部ＩＰネットワークであり，３は従来のＳＩＰ（Session Initiation Protocol)サーバをベースとして構築されるＩＰベースのセッション・課金・サービス制御システムであるＩＭＳ（IP Multimedia Subsystem)を備えると共に回線交換網，パケット網，無線アクセス網等のネットワークを含むＩＭＳ／コアネットワーク（図２ではＩＭＳ／ＣＮで表示）であり，３０は各ユーザ端末１による無線（携帯）通信や，各種の有料のアプリケーション（プログラムやデータ）の利用に対する課金情報を管理する課金管理サーバ，３０ａは課金に関するユーザ情報，課金情報が格納されている課金データベースである。４は外部ＩＰネットワークに設けられ，アプリケーションを実行するアプリケーションサーバ，４０は実行対象のアプリケーション，４１はアプリケーションが必要とするデータベースである。
【００１８】
ユーザ端末１によるユーザ専用汎用プログラムであるアプリケーションを実行する場合を例として動作の概要を説明すると，以下の(1) 〜(7) のようになる。なお，プログラムの例として各ユーザ端末が個別に利用する個別ソフトや，複数のユーザ端末が共用する共用ソフト等の他に，ユーザ端末にプログラムやデータを格納せずに４Ｇアクセスポイント２がそれらの機能を提供するシンクライアント（Thin Client)サーバとして動作させるように構成することができる。
【００１９】
(1) ユーザ端末１において画面入出力プログラム処理部１２のプログラムにより画面操作部１３への操作により４Ｇアクセスポイント２，ＩＭＳ／コアネットワーク３を経由してアプリケーションサーバ４のアプリケーションプログラム（ユーザ専用汎用プログラム）の実行要求を出力する。
【００２０】
(2) アプリケーションサーバ４は，４Ｇアクセスポイント２，ＩＭＳ／コアネットワーク３を経由して，アプリケーションサーバ４上のアプリケーションを４Ｇアクセスポイント２のユーザ専用汎用プログラム実行エリア２１２に転送し（ダウンロード），ユーザ端末１にアクセス先として４Ｇアクセスポイント２に変更する通知をし，ユーザ端末１は４Ｇアクセスポイント２にアクセスしてアプリケーションを実行する。
【００２１】
(3) ４Ｇアクセスポイント２におけるプログラムの実行において，ユーザ端末１での画面操作に応じて，セッションを通じてアプリケーションサーバ４の各種データベース４１に問い合わせを行うことができる。
【００２２】
(4) ＩＭＳ／コアネットワーク３上の課金管理サーバ３０は上記のユーザ端末１による４Ｇアクセスポイント２を介した各種データベースとの通信を監視し，課金データベース３０ａに記録する。
【００２３】
(5) ユーザ端末１の画面操作部１３の操作によりアプリケーションの終了要求を入力する。
【００２４】
(6) アプリケーションサーバ４上のアプリケーションを終了すると，課金サーバは課金情報の収集を終了する。
【００２５】
(7) ユーザ端末１から要求されたプログラムが４Ｇアクセスポイント２のサーバ２１に予め保持されている場合は，外部ＩＰネットワークにユーザ端末１から要求を出しても４Ｇアクセスポイント２に有ることが確認されると，ユーザ端末１は４Ｇアクセスポイント２の該当プログラムにアクセスして実行することができる。
【発明の効果】
【００２６】
本発明により次のような効果を奏することができる。
【００２７】
(1) ４Ｇアクセスポイントにおいてユーザ端末に対してアプリケーションを実行する手段を提供することで，ＩＭＳ／コアネットワーク側のトラフィック増大を抑制することができる。
【００２８】
(2) ユーザ端末と４Ｇアクセスポイント間の通信により各種のアプリケーションを実行することができるため，ＩＰ伝送路の使用は最小限になり遅延を大幅に抑制でき，ユーザ端末から４Ｇアクセスポイントを介した通信による処理が中心となり，ＩＰ伝送遅延を抑制（ネットワークレスポンスの向上，高速化）することが可能となる。
【００２９】
(3) ネットワークのサーバ側のプログラムを４Ｇアクセスポイントまで落とすので，ネットワーク／サーバ側の負荷を分散することができる。
【００３０】
(4) 後述する実施例の構成に記載された共有プログラムとして，グループウェアやシン(Thin)クライアントサーバを使用するサービスを使用することで，ユーザ端末側のシステムリソース（ハードディスク等）を使用しないサービスを実行できる。
【００３１】
(5) 後述する実施例の構成に記載された共有プログラムとして，ユーザ認証プログラム，ユーザ課金測定プログラムを用いることで，セキュリティや課金等の管理を４Ｇアクセスポイントにおいて管理することができ，またコンテンツを直接ユーザ端末まで落とさないのでユーザ端末に負荷がかからないし，違法コピーが不可能となる。
【００３２】
(6) ユーザ端末と外部ネットワーク（インターネット）間の通信のトラフィックが少なくなるので，ＱｏＳの管理が簡略化することができ，シビアなネットワーク品質管理が不要となる。
【００３３】
(7) ＩＭＳ／コアネットワーク側のトラフィックを減少させることができ，また４Ｇアクセスポイントを介した端末（ＥＮＤ）−端末（ＥＮＤ）の通信距離が短くなるので，ＩＰネットワークの障害発生の確率が減少し，信頼性を向上することができる。
【発明を実施するための最良の形態】
【００３４】
図３は実施例１のシステム構成を示す。図３の実施例１の構成において１〜４は上記図２の同一符号の各部と同じであり，１は携帯電話機等のユーザ端末（ＵＥで表示），１０はエア伝送部，１１は信号処理部，１２はＣＧＩ（Common Cateway Interface） や，ＡＰＩ等の画面入出力プログラム処理部，１３は画面操作部である。２は４Ｇアクセスポイント（４Ｇ−ＡＰで表し，以下この略称で呼ぶ），２０はエア伝送部，２１ａは信号処理部，２１は本発明により設けたサーバ（図２の２１に対応）であり，２１０はサーバ上の上記のユーザ専用汎用プログラム実行エリア２１２や共用汎用プログラム実行エリア２１１のプログラム及び外部ＩＰネットワーク３，４とユーザ端末（ＵＥ）１と４Ｇアクセスポイント２との間で行われるセッションを管理するセッション管理部，２１０ａは実行確認部，２１１は共用汎用プログラム（共通ソフト：複数ユーザが共通的に使用する各種の汎用言語プログラム）実行エリア，２１１ａは認証プログラム，２１１ｂは課金測定プログラム，２１２はユーザ専用の汎用プログラム実行エリア，２１２ａはアプリケーションＡであり，このアプリケーションＡはユーザ端末（ＵＥ）１からの要求によりアプリケーションサーバ４から転送されてここに登録され，実行終了後に削除される。２１ａは信号処理部である。なお，ＩＭＳ／コアネットワーク３にはＩＭＳ及び回線交換やパケット機能も含まれているが図示省略されている。
【００３５】
上記ユーザ専用汎用プログラム実行エリア２１２に備えられるプログラムには次のようなものがある。
(1) マルチメディアコンテンツ：動画・音声を組み合わせた大容量データとコーデックを含むプログラム。
(2) ゲーム類：大容量でシステムリソースを必要とするプログラム。
(3) ユーザ端末（ＵＥ）上で実行不可なソフト：大きなシステムリソースを必要とするアプリケーション。
また，上記共用汎用プログラム実行エリア２１１に備えられるプログラムには次のようなものが含まれる。
【００３６】
(1) グループウェア(Group Ware)：社内等で使用する共通のスケジュールウェアや共通の業務アプリケーション等。
(2) シン・クライアント(Thin Client）サーバ：ハードディスクを持たないユーザ端末（ＵＥ）上ではリソース上実行不可なデスクトップＯＳ環境を実現するアプリケーション（システム）。
(3) 動画広告等の映像コンテンツ：各ユーザ端末にブロードキャスト・マルチキャスト配信（ＭＢＭＳ）を行うためのマルチメディアデータ・コーデック等のプログラム。
(4) ユーザ課金測定プログラム：各プログラムの利用状況（プログラムサイズ／リソース使用量／転送データ量）から料金を計算し，ＩＭＳ／ＣＮ側の課金システムに通知するプログラム。
(5) ユーザ認証プログラム：各プログラムを使用する際に必要なユーザ認証を行うための認証サーバプログラム。
(6) ３層クライアントサーバ型システム（プレゼンテーション層（ウェブブラウザ），ファンクション層（ウェブサーバ／ＣＧＩ），データ層（データベースサーバ）の３層からなるシステム）のファンクション層に対応するプログラム：ＩＭＳ／ＣＮ側ネットワークのサーバ負荷を分散するため，ファンクション層に対応するプログラムを４Ｇ−ＡＰ側で実行し，データベース等の処理のみをＩＭＳ／ＣＮ側ネットワークのサーバが行うようにしたプログラム。
【００３７】
この構成により，ユーザ端末１（ＵＥ）の要求に応じて，必要なプログラムをＩＭＳ（ＩＭＳ／コアネットワーク３内）経由でインターネット上のアプリケーションサーバ４からダウンロードし，実行可能となり，必要に応じて外部のサーバと通信が可能である。
【００３８】
図３に示す実施例１の構成において，ユーザ専用汎用プログラム（アプリケーションＡ）を実行する場合の動作シーケンス（その１），（その２）を図４，図５に示す。
【００３９】
図４，図５には，図３に示す実施例１のシステムを構成する各部の主要な要素が示され，右側からユーザ端末（ＵＥで表示）１の内部の画面入出力プログラム処理部１２，画面操作部１３が示され，次に４Ｇ−ＡＰ２の内部のセッション管理部２１０（その中の実行確認部２１０ａ），共用汎用プログラム実行エリア２１１の中の認証プログラム２１１ａ，課金測定プログラム２１１ｂ，ユーザ専用汎用プログラム実行エリア２１２が示され，外部ＩＰネットワーク（３，４を含む）としてＩＭＳ／コアネットワーク（ＩＭＳ／ＣＮで表示）３の中の課金管理サーバ３０内の課金データベース３０ａと，アプリケーションサーバ４の中のアプリケーションＡ（例えば，ゲームソフトとする）４０，各種データベース４１及びセッション管理部４２が示されている。以下に，動作の順に従って概説する。
【００４０】
ユーザ端末１においてアプリケーションＡ実行要求の操作（図４のａ）により，ゲームソフトを保持するアプリケーションサーバ４（ゲートソフトを提供する企業のホームページにアクセス）へＩＭＳ／ＣＮ３側ネットワークにアクセスしてアプリケーションＡの実行要求が出す（図４の(1))。この時，既に前回のアプリケーションＡとのセッションが確立済みで，次期セッション予約がセッション管理部（アプリケーションサーバ４の４２）にある場合は，以下の(2) 〜(6) のステップはスキップする。
【００４１】
セッション予約が確立されてない場合，ＩＭＳ／ＣＮ３側ネットワークのアプリケーションサーバ４が，４Ｇ−ＡＰのセッション管理部２１０へアプリケーションＡの実行可否（アプリケーションＡを実行することが可能なリソースが４Ｇ−ＡＰ２に備えられているか否か）を問い合わせる（図４の(2))。セッション管理部２１０は，アプリケーションＡの実行に対応でき，且つアプリケーションＡの実行に必要なリソースを確保しているか実行確認部２１０ａで確認し（図４のｂ），実行可否をアプリケーションサーバ４のセッション管理部４２に回答する（同(3))。図４の例は, 実行可能であるが，現在４Ｇ−ＡＰのセッション管理部２１０にアプリケーションＡが無いことを回答している。なお，実行不可である場合，ＩＭＳ／ＣＮ３側のネットワークのアプリケーションサーバ４で実行することになる。
【００４２】
アプリケーションサーバ４のセッション管理部４２が４Ｇ−ＡＰから実行可を受信した場合，４ＧＡＰのセッションへ移行し（図４のｃ），セッション管理部４２からアプリケーションサーバ４のアプリケーションＡ・４０へ送信要求を出力し（同(4))，アプリケーションサーバ４はアプリケーションＡのファイルの圧縮を行い（同ｄ），４Ｇ−ＡＰ２のユーザ専用汎用プログラム実行エリア２１２へ送信し（同(5)), そこに展開する（同ｅ）。更に，アプリケーションサーバ４のセッション管理部４２は，要求を行ったユーザ端末（ＵＥ）のＵＥ情報を４Ｇ−ＡＰ２の共用汎用プログラム実行エリア２１１の認証プログラム２１１ａへ送信すると（図４の(6))，認証プログラム２１１ａで該当ＵＥ情報を記憶する（同ｆ）。続いて，アプリケーションサーバ４のセッション管理部４２はユーザ端末（ＵＥ）１に対してアクセス先がアプリケーションサーバ４から４Ｇ−ＡＰ２へ変更されたことを表す，アクセス先変更通知を送信し（図４(7))，ユーザ端末（ＵＥ）１はこれを受信すると，アクセス先を４Ｇ−ＡＰに変更する（同ｇ）。
【００４３】
ユーザ端末（ＵＥ）１から変更先である４Ｇ−ＡＰ２のユーザ認証プログラムへアクセスし（図４の(8))，ユーザ認証を行って成功すると（同ｈ），課金測定プログラム２１１ｂに対してＵＥ情報を送信することで（同(9))，課金測定が開始され（同ｉ），リソース使用量，ネットワーク使用量の収集を開始する（同ｊ）。また，認証成功と同時にアプリケーションＡのパスを認証プログラム２１１ａからユーザ端末（ＵＥ）１に送信されると（図４の(10)) ，ユーザ端末（ＵＥ）１ではアクセス先が受け取ったパスに応じて変更され（同ｋ），アプリケーションＡへのアクセスが行われ（同 (11))，ユーザ端末（ＵＥ）１における作業が開始される（同ｌ）。
【００４４】
ユーザ端末（ＵＥ）１と４Ｇ−ＡＰ２において実行される処理は，図５のステップｍとして示され，その概要を説明すると，ユーザ端末（ＵＥ）１は端末上からＣＧＩ（ＨＴＴＰ），Ｊａｖａ（商標登録）ＡＰＩ，各種マルチメディア通信プロトコル等を使用し，４Ｇ−ＡＰ２上のアプリケーションＡを利用する処理が行われ，その際のリソース使用量，ネットワーク使用量等は，課金測定プログラム（４Ｇ−ＡＰの２１１ｂ）で収集され，アプリケーションＡのみでは情報が不足している場合は，アプリケーションＡとＩＭＳ／ＣＮ３側のネットワーク間で通信を行って各種データベース（アプリケーションサーバ４の４１）等に問い合わせて必要な情報をアップデートする。
【００４５】
ユーザ端末（ＵＥ）１の画面操作部１３により４Ｇ−ＡＰ２のアプリケーションＡによる作業を終了させると（図５のｎ），画面入出力プログラム処理部１２に通知され（同(12)),アクセスを終了する（同ｏ）。これにより，ユーザ端末（ＵＥ）１から４Ｇ−ＡＰ２のユーザ専用汎用プログラム実行エリア２１２のアプリケーションＡ（２１２ａ）にアクセス終了要求が送信されると（図５の(13)),アプリケーションＡから認証プログラム２１１ａに対してアクセス終了要求を出力すると（同(14)),認証プログラム２１１ａは課金測定プログラム２１１ｂにアクセス終了を通知する。これにより，課金測定プログラム２１１ｂが課金測定を終了すると（図５のｐ），課金データを課金管理サーバ３０の課金データベース３０ａに送信し（同(16)),課金データベース３０ａに課金データを登録し（図５のｑ），完了すると（同(17)) ，セッション管理部２１０に対して完了通知を送信する（同(18)） 。
【００４６】
この後，セッション予約をしない場合は，セッションの削除が行われる。すなわち，セッション管理部２１０がセッション削除開始を行うと（図５のｒ），データ削除要求が課金測定プログラム２１１ｂへ送られ（同(19)）,課金測定プログラム２１１ｂからデータ削除完了がセッション管理部に返ってくると（同(20)） ，次に認証プログラム２１１ａとの間で同様のデータ削除要求とデータ削除完了のやりとりが行われ（同(21),(22)），更にユーザ専用汎用プログラム実行エリア２１２のアプリケーションＡとの間でもデータ削除要求とデータ削除完了のやりとりが行われ（同(23),(24)），セッション削除が完了する（同ｓ）。
【００４７】
データ削除完了後，ユーザ端末（ＵＥ）１及びネットワーク側のセッション管理部４２に完了通知を送信すると（図５の(25)〜(27)) ，セッション管理部４２では４Ｇ−ＡＰのセッション終了を確認し（同ｔ），ユーザ端末（ＵＥ）１の画面操作部で作業終了確認の操作を行う（同ｕ）。
【００４８】
なお，ユーザ端末（ＵＥ）１側によるアプリケーションＡへの次期セッションの予約等がある場合は，セッション管理部２１０に登録し，アプリケーションＡファイルと認証プログラム，ユーザ課金測定プログラムのデータは保持する。
【００４９】
図６は実施例２のシステム構成を示す。図６の実施例２の構成において１〜３は上記図３に示す実施例１の構成の同一符号の各部と同じであり，ユーザ端末（ＵＥ）１，ＩＭＳ／ＣＮ３は実施例１（図３）と同じであり，４’は図３のアプリケーションサーバ４と同様のアプリケーション・データベースサーバであり，４１，４２は上記図３の同一符号と同じであり，４１は各種データベース，４２はセッション管理部である。図６の４Ｇ−ＡＰ２は，セッション管理部２１０と共用汎用プログラム実行エリア２１１で構成し，共用汎用プログラム実行エリア２１１の内部に認証プログラム２１１ａと課金測定プログラム２１１ｂの他に共用ソフトウェアＢ・２１１ｃを備えている。この共用ソフトウェアＢ２１１ｃは，例えば，グループで使用するスケジュールソフトである。
【００５０】
この実施例２により，共用汎用プログラム（共用ソフトウェアＢ）を実行する場合の動作シーケンス（その１），（その２）を図７，図８に示す。図７，図８には図６に示す実施例２のシステムを構成する各部の主要な要素が示され，右側からユーザ端末（ＵＥで表示）１の内部の画面入出力プログラム処理部１２，画面操作部１３，次に４Ｇ−ＡＰ２の内部のセッション管理部２１０とその中の実行確認部２１０ａ，共用汎用プログラム実行エリア２１１とその中の認証プログラム２１１ａ，課金測定プログラム２１１ｂ，共用ソフトウェアＢ・２１１ｃが示され，外部ネットワークとしてＩＭＳ／コアネットワーク（ＩＭＳ／ＣＮで表示）３の中の課金管理サーバ３０内の課金データベース３０ａと，アプリケーション・データベースサーバ４’の中のセッション管理部４２，各種データベース４１が示されている。以下に，動作の順に従って概説する。
【００５１】
ユーザ端末１における共用ソフトウェアＢの実行要求操作（図７のａ）により，ＩＭＳ／ＣＮ３側ネットワークのアプリケーション・データベースサーバ４’に対して共用ソフトウェアＢの実行要求を出す（図７の(1)）。この時，既に前回の共用ソフトウェアＢとのセッションが確立済みで，次期セッション予約がセッション管理部４２（図６のアプリケーション・データベースサーバ４’内）にある場合は，(2) 〜(4) のステップをスキップすることができる。
【００５２】
セッション予約が確立されてないと，ＩＭＳ／ＣＮ３側ネットワークのアプリケーション・データベースサーバ４’が，４Ｇ−ＡＰのセッション管理部２１０へ共用ソフトウェアＢの実行可否を問い合わせる（図７の(2))。セッション管理部２１０は，共用ソフトウェアＢが既に４Ｇ−ＡＰに登録されており，且つ共用ソフトウェアＢの実行に必要なリソースを確保しているか実行確認部２１０ａで確認し（図７のｂ），実行可否を回答する（同(3))。図７の例は, 実行可能であり共用ソフトウェアＢが実装済み（有る）であると回答している。なお，実行不可である場合，ＩＭＳ／ＣＮ３側のネットワークのアプリケーション・データベースサーバ４’で実行することになる。
【００５３】
アプリケーション・ネットワークサーバ４’のセッション管理部４２は実行可を受信した場合，４Ｇ−ＡＰへセッションを移行し（図７のｃ），要求を行ったユーザ端末（ＵＥ）のＵＥ情報を４Ｇ−ＡＰ２の共用汎用プログラム実行エリア２１１の認証プログラム２１１ａへ送信すると（図７の(4))，認証プログラム２１１ａで該当ＵＥ情報を記憶する（同ｄ）。続いて，アプリケーション・データベースサーバ４’のセッション管理部４２はユーザ端末（ＵＥ）１に対してアクセス先が４Ｇ−ＡＰ２へ変更されたことを表す，アクセス先変更通知を送信し（図７(5))，ユーザ端末（ＵＥ）１はこれを受信すると，アクセス先を４Ｇ−ＡＰに変更する（同e ）。
【００５４】
次に，ユーザ端末（ＵＥ）１から変更先である４Ｇ−ＡＰ２の認証プログラム２１１ａへアクセスし（図７の(6))，ユーザ認証を行って成功すると（同ｆ），課金測定プログラム２１１ｂに対してＵＥ情報を送信することで（同(7))，課金測定が開始され（同ｇ），リソース使用量，ネットワーク使用量の収集を開始する（同ｈ）。また，認証成功と同時に共用ソフトウェアＢのパスを認証プログラム２１１ａからユーザ端末（ＵＥ）１に送信すると（図７の(8))，ユーザ端末（ＵＥ）１ではアクセス先を受け取ったパスに応じて変更し（同ｉ），共用ソフトウェアＢへのアクセスが行われ（同 (9)) ，ユーザ端末（ＵＥ）１における作業が開始される（同ｊ）。
【００５５】
ユーザ端末（ＵＥ）１と４Ｇ−ＡＰ２において実行される処理は，図８のステップｋとして示され，その処理内容が共用ソフトウェアＢによる処理である点を除いて，上記図５のステップｍについて説明したのと同様である。
【００５６】
ユーザ端末（ＵＥ）１の画面操作部１３により４Ｇ−ＡＰ２の共用ソフトウェアＢによる作業を終了させると（図８のｌ），画面入出力プログラム処理部１２に通知され（同(10)),アクセスを終了する（同ｍ）。これにより，ユーザ端末（ＵＥ）１から４Ｇ−ＡＰ２の共用汎用プログラム実行エリア２１１の共用ソフトウェアＢ・２１１ｃにアクセス終了要求が送信されると（図８の(11)),共用ソフトウェアＢから認証プログラム２１１ａに対してアクセス終了要求を出力すると（同(12)),認証プログラム２１１ａは課金測定プログラム２１１ｂにアクセス終了を通知する(同(13))。これにより，課金測定プログラム２１１ｂが課金測定を終了すると（図８のｎ），課金データを課金管理サーバ３０の課金データベース３０ａに送信し（同(14)),課金データベース３０ａに課金データを登録し（同ｏ），登録が完了すると，課金測定プログラム２１１ｂに通知し，更にセッション管理部２１０に対して完了通知が送信される（同(16)) 。
【００５７】
この後，セッション予約をしない場合は，セッションの削除が行われる。すなわち，セッション管理部２１０がセッション削除開始を行うと（図８のｐ），該当ユーザ端末（ＵＥ）のデータ削除を要求するデータ削除要求が課金測定プログラム２１１ｂへ送られ（同(17)),課金測定プログラム２１１ｂからデータ削除完了がセッション管理部に返ってくると（同(18)) ，次に認証プログラム２１１ａとの間で同様のデータ削除要求とデータ削除完了のやりとりが行われ（同(19),(20))，セッション削除が完了する（同ｑ）。
【００５８】
ユーザ端末（ＵＥ）１側による共用ソフトウェアＢへの次期セッションの予約がある場合は，セッション管理部２１０に登録し，認証プログラムと課金測定プログラムのデータは保持する（その場合，上記図８のｏ,ｐの処理はスキップされる）。
【００５９】
セッション削除完了後，ユーザ端末（ＵＥ）１及びネットワーク側のセッション管理部４２に完了通知を送信すると（図８の(21)〜(23)) ，セッション管理部４２では４Ｇ−ＡＰのセッション終了を確認し（同ｒ），ユーザ端末（ＵＥ）１の画面操作部で作業終了確認の操作を行う（同ｓ）。
【００６０】
本発明による４Ｇアクセスポイントにより効果を上げるための最小限の機構を挙げると，次の(1) 〜(6) のような点である。
【００６１】
(1) プログラム実行エリアを設ける点
(2) ユーザ専用（個別）と共有型の二種類のプログラム実行エリアを設ける点
(3) 外部ＩＰネットワーク上のサーバのプログラムをアクセスポイントに展開して，実行する点
(4) アクセスポイント上のプログラムに対し，認証を行う点
(5) アクセスポイント上のプログラムの状態から課金情報を取得し, ＩＭＳコアネットワークに通知する点
(6) アクセスポイント上にプログラムを展開して, セッションを管理する点
【００６２】
（付記１）  多数のユーザ端末と無線により通信を行う手段と，サーバと，インターネットプロトコル（ＩＰ）により外部ＩＰネットワーク通信を行う手段を備えた４Ｇアクセスポイントを設け，前記外部ＩＰネットワークはＩＰマルチメディアシステム（ＩＭＳ）を含むＩＭＳコアネットワーク及び該ＩＭＳコアネットワークに接続された各種アプリケーションやデータベースを含む複数のアプリケーションサーバとで構成され，前記４Ｇアクセスポイントのサーバは，前記ユーザ端末から要求されたプログラム及び認証と課金測定を含む共用プログラムを実行するエリアとセッション管理部とを備え，前記外部ＩＰネットワークは前記ユーザ端末からプログラムを指定した実行要求を受けとると，前記４Ｇアクセスポイントに対して前記指定されたプログラムの確認を送信し，前記４Ｇアクセスポイントから前記プログラムが無いことを表す応答を受けると，前記４Ｇアクセスポイントにセッションを移行すると共に前記指定されたプログラムを転送し，前記ユーザ端末に対してアクセス先を４Ｇアクセスポイントへ変更する指示を送信し，前記ユーザ端末は前記プログラムを４Ｇアクセスポイントにおいて実行することを特徴とする４Ｇアクセスポイント型通信方式。
【００６３】
（付記２）  付記１において，前記外部ＩＰネットワークは，前記４Ｇアクセスポイントへの前記指定されたプログラムの確認の送信に対して，前記４Ｇアクセスポイントから前記プログラムが有ることを表す応答を受けると，セッションを前記４Ｇアクセスポイントへ移行すると共に前記ユーザ端末に対してアクセス先を前記４Ｇアクセスポイントへ変更する指示を送信し，前記ユーザ端末は前記プログラムを４Ｇアクセスポイントにおいて実行することを特徴とする４Ｇアクセスポイント型通信方式。
【００６４】
（付記３）  付記１または２のいずれかにおいて，前記４Ｇアクセスポイントに備えたプログラム実行エリアに認証プログラムを備え，前記外部ＩＰネットワークが前記４Ｇアクセスポイントへセッションを移行する時に，前記ユーザ端末の情報を送信すると，前記認証プログラムにより当該ユーザ端末について認証を行い，認証が成功すると前記ユーザ端末に対して前記指定されたプログラムへの前記４Ｇアクセスポイントにおけるパス情報を送信することを特徴とする４Ｇアクセスポイント型通信方式。
【００６５】
（付記４）  付記３において，前記４Ｇアクセスポイントのサーバに設けたプログラム実行エリアに課金測定プログラムを備え，前記認証プログラムは認証が成功すると前記課金測定プログラムにユーザ端末情報を通知し，前記課金測定プログラムは前記通知を受け取ると課金測定を開始して，リソース使用量，ネットワーク使用量を収集して，前記ユーザ端末からのアクセス終了要求を受け取ると，課金測定を終了することを特徴とする４Ｇアクセスポイント型通信方式。
【００６６】
（付記５）  付記４において，前記外部ＩＰネットワークのＩＭＳコアネットワークに課金管理サーバを備え，前記課金測定プログラムは前記ユーザ端末からのアクセス終了要求により前記課金測定を終了すると，前記ＩＭＳコアネットワークの前記課金管理サーバに測定した課金情報を送信することを特徴とする４Ｇアクセスポイント型通信方式。
【００６７】
（付記６）  付記１または２の何れかにおいて，前記４Ｇアクセスポイントのプログラム実行エリアを用いて前記ユーザ端末によるプログラムの実行中に，前記ユーザ端末からの指示により前記外部ＩＰネットワークに接続されたデータベースサーバにアクセスし，データを取り出すことを特徴とする４Ｇアクセスポイント型通信方式。
【００６８】
（付記７）  付記１乃至６のいずれかにおいて，前記４Ｇアクセスポイントは，一定エリア毎の固定位置または自動車や電車等の移動体内に設けることを特徴とする４Ｇアクセスポイント型通信方式。
【図面の簡単な説明】
【００６９】
【図１】本発明によるシステムの概要図である。
【図２】本発明のシステムの基本構成を示す図である。
【図３】実施例１のシステム構成を示す図である。
【図４】ユーザ専用汎用プログラムを実行する場合の動作シーケンス（その１）を示す図である。
【図５】ユーザ専用汎用プログラムを実行する場合の動作シーケンス（その２）を示す図である。
【図６】実施例２のシステムの構成を示す図である。
【図７】共用汎用プログラムを実行する場合の動作シーケンス（その１）を示す図である。
【図８】共用汎用プログラムを実行する場合の動作シーケンス（その２）を示す図である。
【符号の説明】
【００７０】
１          ユーザ端末（ＵＥで表示）
１０        エア伝送部
１１        信号処理部
１２        画面入出力プログラム処理部
１３        画面操作部
２          ４Ｇアクセスポイント
２０        エア伝送部
２１        サーバ
２１ａ      信号処理部
２１０      セッション管理部
２１１      共用汎用プログラム実行エリア
２１２      ユーザ専用汎用プログラム実行エリア
２２        ＩＰ伝送部
３          ＩＭＳ／コアネットワーク（ＣＮ）
３０        課金管理サーバ
３０ａ      課金データベース
４          アプリケーションサーバ
４０        アプリケーション
４１        各種データベース
【図１】
2007243773.tif 000003
【図２】
2007243773.tif 000004
【図３】
2007243773.tif 000005
【図４】
2007243773.tif 000006
【図５】
2007243773.tif 000007
【図６】
2007243773.tif 000008
【図７】
2007243773.tif 000009
【図８】
2007243773.tif 000010